(57)【要約】 【課題】  ヘッドを支えるスライダの移動範囲を規制し、高密度高速記録を実現した磁界変調ヘッド装置を提供する。【解決手段】  アーム（６）によってスライダ（１８）が支持されている磁界変調ヘッド装置（２）であって、アームと、このアームに立設されて光磁気ディスク（１２）のディスク面（２８）に対してスライダを上下方向に移動可能に支持するガイドピン（３０、３２）と、前記ガイドピンに支持された前記スライダを前記光磁気ディスク側に押しつけるばね（押し当てばね４４）とを備える構成である。【選択図】        図３
2006286096.tif 000002
【特許請求の範囲】
【請求項１】
アームによってスライダが支持されている磁界変調ヘッド装置であって、
アームと、
このアームに立設されて光磁気ディスクのディスク面に対してスライダを上下方向に移動可能に支持するガイドピンと、
前記ガイドピンに支持された前記スライダを前記光磁気ディスク側に押しつけるばねと、
を備える磁界変調ヘッド装置。
【請求項２】
請求項１に記載の磁界変調ヘッド装置において、
前記スライダに形成されて前記ガイドピンに摺動可能に前記スライダを支持する凹部又は透孔を備えるを備える磁界変調ヘッド装置。
【発明の詳細な説明】
【技術分野】
【０００１】
本発明は、光磁気記録用の磁界変調ヘッド装置に関し、特に、アームによってスライダが支持される支持構造を備えた磁界変調ヘッド装置に関する。
【背景技術】
【０００２】
ＭＤ等の光磁気ディスクの記録及び再生に使用される記録用磁界変調ヘッドは、ディスクの上下動により、レーザ中心と磁界発生部であるコアの位置がディスク回転方向（タンジェンシャル方向）にズレを生じるおそれがある。即ち、ヘッドを支持するアームが片持ちばねの構造を取っているため、ディスクが上下に変位した場合に、スライダがアームとともに円弧を描くことからズレを生じさせる。また、このような支持構造に加え、高密度・高速記録を可能にするには、ヘッドコアを小さくし、インダクタンスを小さくしなければならない。
【０００３】
光磁気ディスクに対する高密度・高速記録を達成するには、磁界変調ヘッドのコアの小型化が不可欠であるし、コアの支持構造も精密化する必要がある。これに伴い、有効磁場印加領域を狭小化させ、光ピックアップの位置に対して、より高い位置精度が要求されている。
【０００４】
このような磁界変調ヘッドの支持構造に関し、アームによってヘッドを支持する支持装置がある（特許文献１）。
【特許文献１】特開平６−３４９１３６号公報
【発明の開示】
【発明が解決しようとする課題】
【０００５】
ところで、光磁気記録ヘッドでは、光磁気ディスクは回転方向に対し±０．６ｍｍの上下動の範囲であることが必要であり、ヘッドを搭載するスライダは光磁気ディスク上を摺動するので、光磁気ディスクの上下動とともにスライダも上下動させる構造が採用されている。このような上下動を許容するには、バネ弾性を有するアームが最適であるとされてきた。しかし、アームが撓むと、支持されているスライダもタンデンシャル方向に移動し、その移動によって、有効磁場印加領域が光ピックアップの焦点範囲から外れてしまうおそれがあり、これは高密度・高速記録を妨げる。
【０００６】
そこで、本発明は、ヘッドを支えるスライダの移動範囲を規制し、高密度・高速記録を実現した磁界変調ヘッド装置を提供することを課題とする。
【課題を解決するための手段】
【０００７】
上記課題を解決した本発明の構成は以下の通りである。
【０００８】
本発明は、アームによってスライダが支持されている磁界変調ヘッド装置であって、アームと、このアームに立設されて光磁気ディスクのディスク面に対してスライダを上下方向に移動可能に支持するガイドピンと、前記ガイドピンに支持された前記スライダを前記光磁気ディスク側に押しつけるばねとを備える構成である。
【０００９】
斯かる構成によれば、ガイドピンに支持されるスライダはガイドピンによって上下動が許容され、ディスクが上下に変動してもコアの位置はタンデンシャル方向に変動しない。即ち、スライダはアームの円弧運動に伴うタンデンシャル方向の移動がなく、上下動のみの動作となるので、常に光ピックアップの焦点範囲と有効磁場印加領域を合致させることができる。
【００１０】
この磁界変調ヘッド装置において、前記スライダに形成されて前記ガイドピンに摺動可能に前記スライダを支持する凹部又は透孔を備えるを備える構成としてもよい。
【発明の効果】
【００１１】
以上説明したように、本発明によれば、次の効果が得られる。
【００１２】
(1) コアを極力小さくする事が出来るので、低インダクタンス化が図られ、高速変調、高密度記録が可能な磁界変調ヘッドを実現できる。
【００１３】
(2) 光磁気ディスク上下動による記録エラーを回避できる。
【００１４】
(3) 高速変調ヘッドの低価格化を図ることができる。
【発明を実施するための最良の形態】
【００１５】
本発明の実施の形態について、図１、図２及び図３を参照して説明する。図１は実施の形態に係る磁界変調ヘッド装置の概要を示す平面図、図２はその側面図、図３はその要部を示す拡大断面図である。
【００１６】
この磁界変調ヘッド装置２には、支持フレーム４に支持されたアーム６が備えられている。支持フレーム４は合成樹脂等で形成され、アーム６は、剛性の高い金属板で構成されている。
【００１７】
アーム６の先端側には屈曲させた段部８を備えて支持部１０が形成され、この支持部１０には、光磁気ディスク１２の上面に対し平行面を成す支持面１４が形成されている。また、支持部１０には矩形状の透孔部１６が形成されており、この透孔部１６にはスライダ１８が挿入されている。
【００１８】
スライダ１８には例えば、断面Ｔ字形の磁気コア２０が設置されているとともに、この磁気コア２０をカバーするカバー部２２が搭載され、磁気コア２０にはコイル２４が巻回されている。磁気コア２０の先端部は、スライダ１８の開口部２６より露出し、光磁気ディスク１２のディスク面２８に摺接させる。なお、図示しないが、スライダ１８には、光ピックアップが搭載される。
【００１９】
また、支持部１０には透孔部１６に跨がって複数のガイドピン３０、３２が立設されている。各ガイドピン３０、３２は、透孔部１６に隣接した位置、即ち、アーム６の延長方向の前後の位置に設置されている。スライダ１８には、各ガイドピン３０、３２に対応するフランジ部３４、３６が形成されており、フランジ部３４にはガイドピン３０を挿通させる凹部３８が形成され、同様に、フランジ部３６にはガイドピン３２を挿通させる凹部４０が形成されている。スライダ１８の各凹部３８、４０とガイドピン３０、３２との係合関係により、スライダ１８はガイドピン３０、３２に摺動可能に支持されている。この場合、ガイドピン３０、３２は光磁気ディスク１２のディスク面２８に対し、直交方向に立設されている。そこで、スライダ１８は、平行に配設されたガイドピン３０、３２によって位置決めされるとともに、ガイドピン３０、３２に沿ってディスク面２８に対して遠近方向、即ち、上下方向に移動可能である。
【００２０】
そして、アーム６の上面部には、支持部１０を覆ってばね板４２が設置され、このばね板４２には、その先端方向から下面側に切り起こして突出させて押し当てばね４４が形成され、この押し当てばね４４の先端部に半円状に屈曲させた当接部４６が形成されている。この当接部４６がスライダ１８のカバー部２２に押し当てられている。即ち、スライダ１８は、ばね板４２及び押し当てばね４４により下方に弾性的に加圧されている。
【００２１】
斯かる構成によれば、スライダ１８はアーム６の下降により、光磁気ディスク１２のディスク面２８に摺接され、光磁気ディスク１２の回転に応ずる。光磁気ディスク１２のディスク面２８が上下動すると、その上下動±Δｍ（例えば、ｍ＝０．６〔ｍｍ〕）の許容範囲に対応し、押し当てばね４４が持つ柔軟性により、その移動が許容される。即ち、スライダ１８はガイドピン３０、３２上を上下に移動する。図３において、破線で示すスライダ１８及び押し当てばね４４は、その上下動を示すものである。
【００２２】
このように、ガイドピン３０、３２に支持されるスライダ１８では、アーム６の移動を伴うことなく、ガイドピン３０、３２によってスライダ１８のみの上下動が許容されので、光磁気ディスク１２が上下に変動しても、アーム６の剛性が高いため、磁気コア２０の位置はタンデンシャル方向の変動が防止される。即ち、スライダ１８はアーム６の円弧運動に伴うタンデンシャル方向の移動がなく、上下動のみの動作となるので、スライダ１８に搭載される光ピックアップの焦点範囲と有効磁場印加領域を常に合致させることができる。
【産業上の利用可能性】
【００２３】
本発明は、スライダを支持するアームに立てたガイドピンによって、スライダを上下動可能に支持させるとともに、ばね板によって上下移動を弾性的に規制させたので、コアを極力小さくすることができ、低インダクタンス化が図られ、高速変調、高密度記録が可能な磁界変調ヘッド装置を実現でき、光磁気ディスクの上下動による記録エラーを回避できる等、有用である。
【図面の簡単な説明】
【００２４】
【図１】実施の形態に係る磁界変調ヘッド装置の概要を示す平面図である。
【図２】磁界変調ヘッド装置を示す側面図である。
【図３】磁界変調ヘッド装置の要部を示す拡大断面図である。
【符号の説明】
【００２５】
２  磁界変調ヘッド装置
６  アーム
１２  光磁気ディスク
１６  透孔部
１８  スライダ
２８  ディスク面
３０、３２  ガイドピン
３８、４０  凹部
４４  押し当てばね
【図１】
2006286096.tif 000003
【図２】
2006286096.tif 000004
【図３】
2006286096.tif 000005